(57)【要約】  【課題】  予約された録画処理の開始及び／又は終了を、予約を行なったユーザに通知することが可能な録画装置を提供する。  【解決手段】  予約管理部２０が管理する各録画予約情報が示す録画開始時刻が経過した場合、制御部１０は、前記録画予約情報が示す放送チャンネルに応じた番組信号の録画処理を記録再生部２１に開始させる。記録再生部２１が録画処理を開始した場合、制御部１０は、この録画処理を予約したユーザの電子メールアドレスに宛てて録画処理を開始した旨を記載した電子メールを送信する。また、予約管理部２０が管理する各録画予約情報が示す録画終了時刻が経過した場合、制御部１０は、記録再生部２１によって実行中の録画処理を終了させ、この録画処理を予約したユーザの電子メールアドレスに宛てて録画処理を終了した旨を記載した電子メールを送信する。【選択図】      図１
2006229504.tif 000002
【特許請求の範囲】
【請求項１】
放送番組の録画予約情報の入力を受け付ける受付手段と、該受付手段が入力を受け付けた録画予約情報に従って録画処理を行なう録画手段とを備える録画装置において、
前記受付手段は、前記録画予約情報の入力を行なった入力者に係る電子メールアドレスを受け付けるように構成してあり、
前記録画手段が録画処理を行なう場合、前記録画処理の開始及び／又は終了に係る旨を記載した電子メールを前記受付手段が受け付けた電子メールアドレスに宛てて送信する送信手段を備えることを特徴とする録画装置。
【請求項２】
前記受付手段は、ＥＰＧ情報に基づいて録画予約情報の入力を受け付けるように構成してあり、
前記ＥＰＧ情報に基づいて前記録画予約情報に係る放送番組の放送日時の変更を検出する検出手段を備え、
前記録画手段は、前記検出手段が検出した放送日時の変更に従って録画処理を行なうように構成してあることを特徴とする請求項１に記載の録画装置。
【請求項３】
前記送信手段は、前記検出手段が放送番組の放送日時の変更を検出した場合、前記録画予約情報に係る放送番組の放送日時が変更された旨を記載した電子メールを送信するように構成してあることを特徴とする請求項２に記載の録画装置。
【請求項４】
前記送信手段は、前記録画手段が録画処理を開始した日時及び／又は終了した日時を記載した電子メールを送信するように構成してあることを特徴とする請求項１乃至３のいずれかひとつに記載の録画装置。
【請求項５】
放送番組の録画予約情報の入力を受け付ける受付手段を備え、該受付手段が入力を受け付けた録画予約情報に従って録画処理を行なう録画装置において、
前記受付手段は、前記録画予約情報の入力を行なった入力者に係る電子メールアドレスを受け付けるように構成してあり、
前記受付手段が受け付けた電子メールアドレス毎に前記録画予約情報を並べた録画予約表を作成する手段を備えることを特徴とする録画装置。
【請求項６】
前記入力者に係る電子メールアドレスを入力するための入力部を備え、
前記受付手段は、前記入力部から入力された電子メールアドレスを受け付けるように構成してあることを特徴とする請求項１乃至５のいずれかひとつに記載の録画装置。
【請求項７】
外部装置との間でデータ通信を行なう通信部を備え、
前記受付手段は、前記通信部が外部装置から受信したデータに基づいて前記電子メールアドレスを受け付けるように構成してあることを特徴とする請求項１乃至５のいずれかひとつに記載の録画装置。
【発明の詳細な説明】
【技術分野】
【０００１】
本発明は、予め受け付けた放送番組の録画予約情報に従って、放送される番組信号の録画処理を行なう録画装置に関するものである。
【背景技術】
【０００２】
テレビジョン放送による放送番組の番組信号を受信して記録媒体に記録し、必要に応じて再生する録画装置として、磁気テープを記録媒体に用いるビデオカセットレコーダ（ＶＣＲ）、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体に用いるビデオディスクレコーダ等が普及している。
【０００３】
このような録画装置は、録画したい番組の放送時刻にユーザが外出中であっても確実に録画処理を行なうために、予約録画を行なうように構成されている。具体的には、録画装置は、ユーザにより予め予約設定された録画処理を示す予約情報を記憶しており、各予約情報が示す録画処理における録画開始時刻が経過した場合に、設定された放送チャンネルに応じて受信する番組信号の記録媒体への録画処理を開始し、各予約情報が示す録画処理における録画終了時刻が経過した場合に実行中の録画処理を終了する。
【０００４】
一方、各放送局から発信される番組信号と共に、各放送局が放送する放送番組の放送チャンネル、放送開始日時、放送終了日時、放送内容等を示す番組情報を配信する電子番組表（ＥＰＧ：Electric Program Guide）システムが提供されている。電子番組表は、ユーザがテレビジョン装置で放送番組を視聴する際に利用されており、放送チャンネル及び放送日時だけでなく、電子番組表中の各番組情報が示す出演者、番組タイトル、番組のジャンル等に基づいて視聴したい番組を選択することができる。
【０００５】
また、このような電子番組表を用いて録画処理を予約できる録画装置も提供されている（例えば、特許文献１参照）。従って、ユーザは、放送番組の録画予約を行なう際に、放送チャンネル及び放送日時だけでなく、電子番組表中の各番組情報が示す出演者、番組タイトル、番組のジャンル等に基づいて番組を選択することができ、操作性を向上させることができる。
【０００６】
更に、電子番組表システムは、各放送番組の番組情報だけでなく、例えば、スポーツ中継の延長、臨時番組の放送等による各放送番組の放送日時の変更を示す変更情報も配信しており、ユーザは各放送番組の放送日時の変更をリアルタイムに知ることができる。また、電子番組表を受信できる録画装置では、このような変更情報を受信した場合、受信した変更情報が示す変更内容に基づいて、録画予約されている放送番組の放送日時を変更して録画を行なうように構成されている。このような録画装置を用いることにより、放送日時が変更された場合であっても録画予約した放送番組を確実に録画することができる。
【０００７】
上述したような電子番組表は、電波を介してだけでなく、例えばインターネットを介しても提供されている。従って、インターネットに接続できる構成を備えることにより、インターネットを介して電子番組表を受信し、上述したような処理を行なうことができる録画装置も提供されている（例えば、特許文献２参照）。
【特許文献１】特許第２８３８８９２号公報
【特許文献２】特開２００１−２１８１８８号公報
【発明の開示】
【発明が解決しようとする課題】
【０００８】
しかし、上述したような録画装置では、予約した録画処理を確実に実行できてはいるものの、ユーザが帰宅後に録画内容を確認しない限り、予約設定しておいた放送番組が確実に録画できているかを知ることはできない。従ってユーザは、所望の放送番組が確実に録画されているか否か、また、放送日時が変更されていないか否かを不安に感じながら外出していることが多いという問題を有している。
【０００９】
本発明は斯かる事情に鑑みてなされたものであり、その目的とするところは、予約された録画処理の開始及び／又は終了に係る旨を予約を行なったユーザに通知することにより、ユーザは、外出先であっても、自身が予約した録画処理が開始されたこと、又は終了されたことを知ることができる録画装置を提供することにある。
【００１０】
本発明の他の目的は、スポーツ中継の延長、臨時番組の放送等により録画予約された放送番組の放送日時が変更された場合であっても、日時を変更して行なわれた録画処理の開始及び／又は終了に係る旨を予約を行なったユーザに通知することができる録画装置を提供することにある。
【００１１】
本発明の更に他の目的は、放送番組の録画予約情報の入力を行なった入力者に係る電子メールアドレスを受け付け、受け付けた電子メールアドレス毎に録画予約情報を並べた録画予約表を作成することにより、録画装置を複数のユーザで使用する場合に、録画予約された各放送番組がどのユーザによって予約されたものであるかを電子メールアドレスによって明確に区別することができる録画装置を提供することにある。
【課題を解決するための手段】
【００１２】
本発明に係る録画装置は、放送番組の録画予約情報の入力を受け付ける受付手段と、該受付手段が入力を受け付けた録画予約情報に従って録画処理を行なう録画手段とを備える録画装置において、前記受付手段は、前記録画予約情報の入力を行なった入力者に係る電子メールアドレスを受け付けるように構成してあり、前記録画手段が録画処理を行なう場合、前記録画処理の開始及び／又は終了に係る旨を記載した電子メールを前記受付手段が受け付けた電子メールアドレスに宛てて送信する送信手段を備えることを特徴とする。
【００１３】
本発明によれば、放送番組の録画予約情報の入力を受け付け、入力を受け付けた録画予約情報に従って録画処理を行なう録画装置が、前記録画予約情報の入力を行なった入力者に係る電子メールアドレスを受け付け、前記録画予約情報に従って録画処理を行なう場合に前記録画処理の開始及び／又は終了に係る旨を記載した電子メールを前記電子メールアドレスに宛てて送信する。よって、予約された録画処理の開始及び／又は終了を、携帯電話器、ＰＨＳ（Personal Handy phone System ）電話器、ＰＤＡ（Personal Digital Assistant）等の各種装置へ電子メールによって通知することが可能となる。
【００１４】
本発明に係る録画装置は、前記受付手段は、ＥＰＧ情報に基づいて録画予約情報の入力を受け付けるように構成してあり、前記ＥＰＧ情報に基づいて前記録画予約情報に係る放送番組の放送日時の変更を検出する検出手段を備え、前記録画手段は、前記検出手段が検出した放送日時の変更に従って録画処理を行なうように構成してあることを特徴とする。
【００１５】
本発明によれば、ＥＰＧ情報に基づいて録画予約情報の入力を受け付けており、前記ＥＰＧ情報に基づいて前記録画予約情報に係る放送番組の放送日時の変更を検出した場合、検出した放送日時の変更に従って録画処理を行なう。また、検出した放送日時の変更に従って録画処理を行なう場合に前記録画処理の開始及び／又は終了に係る旨を記載した電子メールを前記電子メールアドレスに宛てて送信する。よって、例えば、スポーツ中継の延長、臨時番組の放送等により各放送番組の放送日時が変更された場合であっても、予約された録画処理を確実に行なうことが可能となると共に、日時を変更して行なわれた録画処理の開始及び／又は終了を予約を行なったユーザに通知することが可能となる。
【００１６】
本発明に係る録画装置は、前記送信手段は、前記検出手段が放送番組の放送日時の変更を検出した場合、前記録画予約情報に係る放送番組の放送日時が変更された旨を記載した電子メールを送信するように構成してあることを特徴とする。
【００１７】
本発明によれば、放送番組の放送日時の変更を検出した場合に、前記録画予約情報に係る放送番組の放送日時が変更された旨を記載した電子メールを送信することにより、前記録画予約情報に基づく録画処理を開始する前であっても、録画予約した放送番組の放送日時が変更されたことをユーザに通知することが可能となる。
【００１８】
本発明に係る録画装置は、前記送信手段は、前記録画手段が録画処理を開始した日時及び／又は終了した日時を記載した電子メールを送信するように構成してあることを特徴とする。
【００１９】
本発明によれば、録画処理を開始した日時及び／又は終了した日時を記載した電子メールを送信することにより、放送日時が変更されたか否かに係らず、実際に行なわれた録画処理の開始日時及び／又は終了日時をユーザに通知することが可能となる。
【００２０】
本発明に係る録画装置は、放送番組の録画予約情報の入力を受け付ける受付手段を備え、該受付手段が入力を受け付けた録画予約情報に従って録画処理を行なう録画装置において、前記受付手段は、前記録画予約情報の入力を行なった入力者に係る電子メールアドレスを受け付けるように構成してあり、前記受付手段が受け付けた電子メールアドレス毎に前記録画予約情報を並べた録画予約表を作成する手段を備えることを特徴とする。
【００２１】
本発明によれば、放送番組の録画予約情報の入力を受け付け、入力を受け付けた録画予約情報に従って録画処理を行なう録画装置が、前記録画予約情報の入力を行なった入力者に係る電子メールアドレスを受け付け、受け付けた電子メールアドレス毎に対応する録画予約情報を並べた録画予約表を作成する。よって、録画装置を複数のユーザで使用する場合に、録画予約された各放送番組がどのユーザによって予約されたものであるかを電子メールアドレスによって明確に区別することが可能となる。
【００２２】
本発明に係る録画装置は、前記入力者に係る電子メールアドレスを入力するための入力部を備え、前記受付手段は、前記入力部から入力された電子メールアドレスを受け付けるように構成してあることを特徴とする。
【００２３】
本発明によれば、放送番組の録画予約情報の入力を行なった入力者に係る電子メールアドレスを入力するための入力部を備えることにより、放送番組の録画予約情報を入力する際に、任意の電子メールアドレスを入力することが可能となる。よって、予約された録画処理の開始及び／又は終了を電子メールによって予約を行なったユーザに通知することが可能となる。
【００２４】
本発明に係る録画装置は、外部装置との間でデータ通信を行なう通信部を備え、前記受付手段は、前記通信部が外部装置から受信したデータに基づいて前記電子メールアドレスを受け付けるように構成してあることを特徴とする。
【００２５】
本発明によれば、外部装置との間でデータ通信を行なう通信部を備え、外部装置から受信したデータに基づいて前記電子メールアドレスを受け付けることにより、放送番組の録画予約情報の入力を行なった入力者に係る電子メールアドレスを外部装置から受信することが可能となる。よって、例えば電子メールアドレスを入力するために録画装置の操作部を操作する必要がなく、ユーザによる操作処理負担を軽減することが可能となる。
【発明の効果】
【００２６】
本発明の録画装置は、放送番組の録画予約情報の入力と共に該入力を行なった入力者に係る電子メールアドレスを受け付け、受け付けた録画予約情報に従って録画処理を行なう場合に前記録画処理の開始及び／又は終了に係る旨を記載した電子メールを前記電子メールアドレスに宛てて送信する。よって、予約された録画処理の開始及び／又は終了を各種装置へ電子メールによって通知することができ、各ユーザは、自身が予約した録画処理が確実に開始されたこと、又は終了されたことを外出先であっても知ることができるので、不安に感じることがない。
【００２７】
本発明の録画装置は、ＥＰＧ情報に基づいて録画予約情報の入力を受け付けており、前記ＥＰＧ情報に基づいて予約された録画処理に係る放送番組の放送日時の変更を検出した場合、検出した放送日時の変更に従って録画処理を行なう。また、検出した放送日時の変更に従って録画処理を行なう場合に前記録画処理の開始及び／又は終了に係る旨を記載した電子メールを前記電子メールアドレスに宛てて送信する。よって、例えば、スポーツ中継の延長、臨時番組の放送等により各放送番組の放送日時が変更された場合であっても、録画予約された放送番組を確実に録画することできると共に、日時を変更して行なわれた録画処理の開始及び／又は終了を予約を行なったユーザに通知することができる。これにより、ユーザは、録画予約しておいた放送番組の録画が確実に開始されたこと、又は終了されたことを知ることができると共に、前記放送番組の放送日時が変更されたことを知ることができる。
【００２８】
本発明の録画装置は、放送番組の放送日時の変更を検出した場合に、録画予約されている放送番組の放送日時が変更された旨を記載した電子メールを送信することにより、録画処理を開始する前であっても、録画予約された放送番組の放送日時が変更されたことをユーザに通知することができる。また、録画処理を開始した日時及び／又は終了した日時を記載した電子メールを送信することにより、放送日時が変更されたか否かに係らず、実際に行なわれた録画処理の開始日時及び／又は終了日時をユーザに通知することができる。
【００２９】
本発明の録画装置は、放送番組の録画予約情報の入力と共に該入力を行なった入力者に係る電子メールアドレスを受け付け、受け付けた電子メールアドレス毎に対応する録画予約情報を並べた録画予約表を作成する。よって、録画装置を複数のユーザで使用する場合に、録画予約された各放送番組がどのユーザによって予約されたものであるかを電子メールアドレスによって明確に区別することができる。
【００３０】
本発明の録画装置は、放送番組の録画予約情報の入力を行なった入力者に係る電子メールアドレスを入力するための入力部を備えることにより、放送番組の録画予約情報を入力する際に、任意の電子メールアドレスを入力することができる。よって、予約された録画処理の開始及び／又は終了を電子メールによって予約を行なったユーザに通知することができる。また、外部装置との間でデータ通信を行なう通信部を備え、外部装置から受信したデータに基づいて前記電子メールアドレスを受け付けるように構成した場合には、例えば電子メールアドレスを入力するために録画装置の操作部を操作する必要がなく、ユーザによる操作処理負担を軽減することができる。
【発明を実施するための最良の形態】
【００３１】
以下に、本発明に係る録画装置をその実施形態である記録再生装置を示す図面に基づいて詳述する。
（実施形態１）
図１は実施形態１に係る記録再生装置の構成例を示すブロック図である。図１において破線はテレビジョン放送に係る放送番組の番組信号、又は各放送局から放送される放送番組の内容を示す番組情報（ＥＰＧ信号）の流れを示している。実施形態１に係る記録再生装置１は、液晶ディスプレイ又はＣＲＴディスプレイ等のモニタ装置３に、映像信号用の映像ケーブル及び音声信号用の音声ケーブルによって接続されており、記録再生装置１が受信した放送番組、ＥＰＧ信号に基づく電子番組表、記録再生装置１が録画した放送番組等をモニタ装置３に表示させることができる。
【００３２】
また、記録再生装置１は、リモートコントロール装置（以下、リモコン装置という）１ａとの間で赤外線を利用したＩｒＤＡ（Infrared Data Association）規格に従う無線通信が可能に構成されており、リモコン装置１ａによって遠隔から操作することができる。なお、記録再生装置１とリモコン装置１ａとを、赤外線を利用した無線通信だけでなく、例えば、ＩＥＥＥ８０２．１１ｂ規格に準拠した無線ＬＡＮ、及びBluetooth規格に従う無線通信等を介して接続してもよい。
【００３３】
記録再生装置１は、制御部１０、ＲＯＭ１１、ＲＡＭ１２、チューナ部１３、ＥＰＧ復号部１４、番組延長検出部１５、操作部１６、表示部１７、通信部１８、日時管理部１９、予約管理部２０、記録再生部２１、ＯＳＤ（On Screen Display ）部２３、映像ケーブル及び音声ケーブルを介してモニタ装置３へ番組信号を出力するための出力部２４、リモコンコード解析部２５、リモコン装置１ａからの赤外線を受光する赤外線受光部２６等を備えており、夫々はバス１０ａを介して相互に接続されている。
【００３４】
制御部１０は、ＣＰＵ（Central Processing Unit ）又はＭＰＵ（Micro Processor Unit）等により構成されており、バス１０ａを介して接続される上述したようなハードウェア各部を制御すると共に、ＲＯＭ１１に予め格納されている制御プログラムを適宜ＲＡＭ１２に読み出して実行する。ＲＯＭ１１は、記録再生装置１を本発明に係る録画装置として動作させるために必要な種々の制御プログラム、電子メールの送受信を行なうために必要なソフトウェアであるメーラー等を予め記憶している。ＲＡＭ１２は、ＳＲＡＭ又はフラッシュメモリ等で構成されており、制御部１０による制御プログラムの実行時に発生するデータを一時的に記憶する。
【００３５】
チューナ部１３は、例えばＵＨＦテレビジョン放送信号及びＶＨＦテレビジョン放送信号、ＢＳ放送信号又はＣＳ放送信号等の受信用チューナであり、放送中継基地２の方向に向けて配置されたアンテナ２ａと接続されている。チューナ部１３は、ユーザにより選択された放送チャンネルに応じてアンテナ２ａで受信した電波を検波して放送番組の番組信号を受信し、受信した番組信号を記録再生部２１又は出力部２４へ転送する。なお、チューナ部１３が受信した番組信号に含まれる音声は、図示しないスピーカへ入力されて音声出力される。
【００３６】
ここで、アンテナ２ａが受信する電波には、番組信号に係る電波のほかに、各放送局が放送する放送番組のジャンル、放送チャンネル、放送開始日時、放送終了日時及びタイトル等を示す番組情報と、各放送番組の放送日時の変更を示す変更情報とを含むＥＰＧ（電子番組表）信号に係る電波が定期的に含まれる。チューナ部１３は、アンテナ２ａで受信した電波を検波してＥＰＧ信号を受信した場合、受信したＥＰＧ信号をＥＰＧ復号部１４へ転送する。
【００３７】
ＥＰＧ復号部１４は、チューナ部１３から取得するＥＰＧ信号を解読して番組情報であれば出力部２４へ転送してモニタ装置３に電子番組表を表示させ、変更情報であれば番組延長検出部１５へ転送する。番組延長検出部１５は、ＥＰＧ復号部１４から取得した変更情報に基づいて、放送番組の延長、臨時番組による放送中止等を検出しており、検出内容を制御部１０へ通知する。なお、記録再生装置１は、電子番組表をアンテナ２ａが受信する電波を介してだけでなく、例えばネットワークＮＷ上に設けられたＥＰＧサーバから受信することもできる。
【００３８】
操作部１６は、記録再生装置１をユーザが操作するために必要な各種のファンクションキーを備えており、ユーザにより各キーが操作された場合、操作されたキーに対応した制御信号を制御部１０へ送出する。これにより、制御部１０は操作部１６から取得する制御信号に従って各種処理を実行する。具体的に操作部１６には、記録再生装置１を起動させるための電源キー、記録再生装置１による放送番組の録画処理を開始させるための録画キー、録画処理を終了させるための停止キー等が設けられている。
【００３９】
赤外線受光部２６は、リモコン装置１ａからの赤外線を受光して所定の電気信号に変換し、得られた電気信号をリモコンコード解析部２５へ転送する。リモコンコード解析部２５は、赤外線受光部２６から取得した電気信号を解析し、リモコン装置（入力部）１ａから入力された制御信号を取得し、取得した制御信号を制御部１０へ送出する。従って、制御部１０は、リモコン装置１ａから送信されてリモコンコード解析部２５によって解析された制御信号に従って各種処理を実行する。なお、リモコン装置１ａには、電源キー、録画キー及び停止キーのほかに、１〜１２の数字キー、十字キー、決定キー及びクリアキー等が設けられている。
【００４０】
表示部１７は、例えば液晶モニタからなる表示デバイスであり、記録再生装置１の動作状態の表示、ユーザに対して通知すべき情報の表示等を行なう。なお、表示部１７をタッチパネル方式とすることにより、操作部１６の各種のキーのうちの一部又は全部を代用することも可能である。
【００４１】
通信部１８は、インターネット又はＬＡＮ（Local Area Network）等のネットワークＮＷに接続するためのインタフェースであり、ネットワークＮＷを介して接続される外部装置との間でデータ通信を行なう。なお、ＲＯＭ１１に記憶してあるメーラーを制御部１０が実行することにより、ネットワークＮＷを介して設定された外部装置と電子メールの送受信を行うことができる。
【００４２】
日時管理部１９は、絶対時間（年、月、日、時、分、秒）を示す時計手段（図示せず）を備えており、制御部１０からの指示に従って現在日時を制御部１０及び予約管理部２０等へ通知し、主としてタイマ予約（以下、予約という）による放送番組の録画処理に利用される。
【００４３】
予約管理部２０は、ユーザが操作部１６又はリモコン装置１ａを操作することにより予約された録画処理を示す予約情報（録画予約情報）を管理する。具体的には、予約管理部２０は、制御部１０からの制御に従って日時管理部１９から取得する現在日時に基づいて、予約された各録画処理の開始日時が経過したか否かを判断しており、経過したと判断した場合、記録再生部２１に録画処理を開始させる。また、予約管理部２０は、予約された各録画処理の終了日時が経過したか否かを判断しており、経過したと判断した場合、記録再生部２１に録画処理を終了させる。
【００４４】
記録再生部２１は、エンコーダを有しており、チューナ部１３から転送された番組信号をエンコーダにより所定形式の番組データに符号化圧縮し、接続されているハードディスク装置（以下、ＨＤＤという）２２に記憶させる。なお、ＨＤＤ２２は、記録再生部２１により符号化圧縮された番組データをそれぞれファイル単位で記憶する。また、エンコード形式としては、例えばＭＰＥＧ形式、ＤＶ圧縮形式、モーションＪＰＥＧ形式等を用いることができる。
【００４５】
また、記録再生部２１は、デコーダを有しており、ＨＤＤ２２に記憶されている番組データを読み出してデコーダにより番組信号に復号化伸張し、伸張した番組信号を出力部２４へ転送する。なお、記録再生部２１は、ユーザが操作部１６又はリモコン装置１ａから録画処理の開始を指示した場合、又は予約管理部２０から録画処理の開始を指示された場合に、番組データの記録を開始する。また、記録再生部２１は、ユーザが操作部１６又はリモコン装置１ａから録画処理の終了を指示した場合、又は予約管理部２０から録画処理の終了を指示された場合に、番組データの記録を終了する。
【００４６】
ＯＳＤ部２３は、チューナ部１３が取得した番組信号又は記録再生部２１がＨＤＤ２２から読み出した番組信号に基づく映像の上に、制御部１０からの指示に従ったメニュー画面を表示させる。ＯＳＤ部２３は、記録再生装置１に関する各種のメニュー画像を予め格納してあるメモリ（図示せず）を備えており、制御部１０からの指示に従って対応するメニュー画像をメモリから読み出して出力部２４へ転送する。
【００４７】
出力部２４は、チューナ部１３から転送されてくる番組信号、記録再生部２１から転送されてくる番組信号をモニタ装置３へ出力してモニタ装置３に表示させる。また、出力部２４は、必要に応じてＯＳＤ部２３から転送されてくるメニュー画像を番組信号に重ね合わせてモニタ装置３へ出力し、記録再生装置１に関する各種メニュー画面をモニタ装置３に表示させる。更に、出力部２４は、ＥＰＧ復号部１４から転送されてくるＥＰＧ信号をモニタ装置３へ出力してモニタ装置３に表示させることもできる。
【００４８】
上述した構成により、本実施形態の記録再生装置１は、チューナ部１３で取得した番組信号に基づく放送番組をモニタ装置３に表示させることができ、また、チューナ部１３で取得した番組信号をＨＤＤ２２に録画し、必要に応じてＨＤＤ２２に録画した番組信号をモニタ装置３で再生させることができる。更に、記録再生装置１は、チューナ部１３で取得したＥＰＧ信号に基づく電子番組表をモニタ装置３に表示させることができ、また、電子番組表を介して録画処理の予約を受け付けることができる。
【００４９】
ここで、本実施形態の記録再生装置１は、ユーザによる録画処理の予約を受け付けた場合、この予約を行なったユーザが所有するコンピュータ又は携帯電話器等に割り当てられた電子メールアドレスを受け付けるように構成されている。以下に、本実施形態の記録再生装置１における録画処理の予約方法について説明する。なお、以下の説明では、電子番組表を用いて録画処理の予約を行なう場合について説明するが、例えば、ユーザがリモコン装置１ａを適切に操作することによって録画処理の予約を行なう場合であってもよい。
【００５０】
録画処理の予約を行ないたいユーザは、リモコン装置１ａの所定のキーを操作することにより、チューナ部１３で取得したＥＰＧ信号に基づく電子番組表をモニタ装置３に表示させる。図２（ａ）は電子番組表の構成例を示す模式図であり、各放送局が放送する放送番組の放送チャンネル、放送開始日時、放送終了日時及びタイトル等を示している。ユーザは、この電子番組表を見ながらリモコン装置１ａのカーソルキーを操作して録画予約する放送番組を選択し、決定キーを操作することにより放送番組を確定する。
【００５１】
電子番組表において決定キーが操作された場合、記録再生装置１の制御部１０は、ＯＳＤ部２３によって、ユーザにより選択された放送番組の番組情報を示すメニュー画像を出力部２４へ転送し、図２（ｂ）に示すような予約内容確認画面をモニタ装置３に表示させる。図２（ｂ）に示す予約内容確認画面は、ユーザにより選択された放送番組のジャンル、放送チャンネル、タイトル、放送開始日時及び放送終了日時を表示しており、選択した放送番組の確認と、電子メールアドレスの入力とをユーザに促す。
【００５２】
なお、記録再生装置１に対して一度入力された電子メールアドレスをＲＡＭ１２に記憶させておき、ＲＡＭ１２に記憶してある電子メールアドレスを予約内容確認画面中に一覧表示させ、一覧表示された電子メールアドレスから自身の電子メールアドレスをユーザが選択するようにし、一覧表示された電子メールアドレスに自身の電子メールアドレスがない場合にのみ新たな電子メールアドレスをユーザがリモコン装置１ａから入力するようにしてもよい。
【００５３】
また、電子メールアドレスを入力する機構として、電子メールアドレスに使用される可能性のある文字の入力が可能な操作キーをリモコン装置１ａに設けてもよい。更に、ＯＳＤ部２３が管理する電子メールアドレスの入力用のメニュー画像をモニタ装置３で表示させ、このメニュー画面上でリモコン装置１ａのカーソルキー、決定キー及びクリアキー等を操作することにより電子メールアドレスを入力するように構成してもよい。
【００５４】
予約内容確認画面において、ユーザがリモコン装置１ａから電子メールアドレスを入力して決定キーを操作した場合、記録再生装置１の制御部（受付手段）１０は、選択された放送番組の録画予約を受け付ける。ここで、予約管理部２０は、図３に示すような予約管理テーブルを有しており、録画予約を受け付けた制御部１０は、受け付けた予約内容を示す録画予約情報を予約管理テーブルに登録する。なお、予約内容確認画面においてクリアキーが操作された場合、制御部１０は図２（ａ）に示す電子番組表をモニタ装置３に再度表示させる。
【００５５】
予約管理テーブルには、予約された放送番組の録画処理毎に、識別するための予約番号、予約を行なったユーザの電子メールアドレス、ジャンル、放送チャネル、録画開始の日時を示す開始日時、録画終了の日時を示す終了日時、タイトル等を含む録画予約情報が登録されている。この予約管理テーブルは、上述したようなユーザによるリモコン装置１ａの操作によって制御部１０が放送番組の録画予約を受け付ける都度、また、各録画予約情報が示す録画処理が実行される都度、制御部１０によって更新される。
【００５６】
このような予約管理テーブルを管理することにより、例えばユーザが、予約された録画処理の内容を確認するためにリモコン装置１ａの所定の操作キーを操作した場合、制御部１０は、予約管理部２０が管理する予約管理テーブルの登録内容をＯＳＤ部２３へ転送する。ＯＳＤ部２３は、予約管理部２０から転送されてきた予約管理テーブルの登録内容と、メモリに記憶してある所定のメニュー画像とに基づいて、各ユーザの電子メールアドレス毎にそれぞれの予約内容を並べた録画予約表を作成し、出力部２４からモニタ装置３へ出力する。これにより、記録再生装置１は、図４に示すような予約確認リスト（録画予約表）をモニタ装置３に表示させることができる。
【００５７】
予約確認リストは、予約された各録画処理について、予約したユーザの電子メールアドレス、ジャンル、放送チャネル、録画開始日時、録画終了日時、タイトルを表示する。ユーザは、予約確認リストにおいてリモコン装置１ａを適切に操作することにより、各録画処理の内容を修正及び変更することができる。なお、予約確認リストは、各録画処理の背景色をユーザの電子メールアドレス毎に異ならせて表示しており、記録再生装置１を複数のユーザで使用する場合には、各録画処理がどのユーザによって予約されたものであるかを容易に判別することができる。また、予約確認リストには、各予約を行なったユーザを特定するために各ユーザの電子メールアドレスを表示しているが、各ユーザの電子メールアドレスにユーザ名を登録しておき、電子メールアドレスの代わりにユーザ名を表示させてもよい。
【００５８】
上述したような予約管理テーブルを管理する予約管理部２０は、各録画予約情報が示す録画開始日時及び録画終了日時に従って、予約されている録画処理を実行し、チューナ部１３が取得する番組信号を記録再生部（録画手段）２１によってＨＤＤ２２に録画する。ここで、記録再生部２１は、図５に示すような録画管理テーブルを有しており、予約管理部２０が管理する録画予約情報に従って録画処理を行なった場合に録画内容を示す録画情報を録画管理テーブルに登録する。
【００５９】
録画管理テーブルには、録画された番組データ毎に、録画予約を行なったユーザの電子メールアドレス、ジャンル、放送チャネル、録画開始日時、録画終了日時、タイトル、ＨＤＤ２２における記憶領域等を含む録画情報が登録されている。この録画管理テーブルは、上述したように予約管理部２０が管理する録画予約情報に従って記録再生部２１が番組データをＨＤＤ２２に録画する都度、制御部１０によって更新される。
【００６０】
このような録画管理テーブルを管理することにより、例えばユーザが、録画された放送番組を再生させるためにリモコン装置１ａの所定の操作キーを操作した場合、制御部１０は、記録再生部２１が管理する録画管理テーブルの登録内容をＯＳＤ部２３へ転送する。ＯＳＤ部２３は、記録再生部２１から転送されてきた録画管理テーブルの登録内容と、メモリに記憶してある所定のメニュー画像とに基づいて、ＨＤＤ２２に録画してある放送番組の録画情報を示すメニュー画像を作成し、出力部２４からモニタ装置３へ出力する。これにより、記録再生装置１は、図６に示すような録画済みリストをモニタ装置３に表示させることができる。
【００６１】
録画済みリストは、録画予約を行なったユーザの電子メールアドレスと、放送番組のジャンルとをキーとした２次元マトリクス状の各セル内に、ＨＤＤ２２に録画された各放送番組の番組情報を表示する。ユーザは、録画済みリストにおいてリモコン装置１ａのカーソルキーを操作することによって所望の番組データを選択し、決定キーを操作することによって選択された番組データを再生させることができる。
【００６２】
ここで、本実施形態の記録再生装置１は、予約管理部２０が管理する録画予約情報に従って記録再生部２１が放送番組の録画処理を開始及び終了した場合、制御部（送信手段）１０が、この録画処理を行なったユーザに宛てて録画処理の開始及び終了を通知するための電子メールを送信する。
【００６３】
具体的には、予約管理部２０が、予約管理テーブルで管理する各録画予約情報が示す録画開始日時と日時管理部１９が示す現在時刻とに基づいて、予約された録画処理の開始時刻が経過したと判断した場合、録画予約情報が示す放送チャンネルに応じた番組信号の録画処理を記録再生部２１に開始させる。記録再生部２１が録画処理を開始した場合、制御部１０は、ＲＯＭ１１に記憶してあるメーラーを起動させると共に、この録画処理を予約したユーザの電子メールアドレスを予約管理テーブルから読み出し、読み出した電子メールアドレスに宛てて録画処理を開始した時刻等を記載した電子メールを送信する。
【００６４】
また、予約管理部２０が、予約管理テーブルで管理する各録画予約情報が示す録画終了日時と日時管理部１９が示す現在時刻とに基づいて、実行中の録画処理の終了時刻が経過したと判断した場合、記録再生部２１によって実行中の録画処理を終了させる。記録再生部２１が録画処理を終了した場合、制御部１０は、ＲＯＭ１１に記憶してあるメーラーを起動させると共に、この録画処理を予約したユーザの電子メールアドレスを予約管理テーブルから読み出し、読み出した電子メールアドレスに宛てて録画処理を終了した時刻等を記載した電子メールを送信する。これにより、放送番組の録画を予約したユーザは、自身が予約した録画処理の開始及び終了を外出先でも知ることができる。
【００６５】
更に、本実施形態の記録再生装置１は、アンテナ２ａを介してチューナ部１３が取得するＥＰＧ信号によって番組延長検出部（検出手段）１５が放送番組の延長を検出した場合、制御部１０が、予約管理部２０の予約管理テーブルに登録された録画予約情報を必要に応じて変更する。例えば、録画予約された放送番組の記録再生部２１による録画処理中に、番組延長検出部１５がこの放送番組の延長を検出した場合、制御部１０は、予約管理テーブル中の対応する録画予約情報における録画処理の終了日時を、検出した延長時間だけ変更する。また、番組延長検出部１５が、録画予約された放送番組の放送日時よりも先の放送番組のうちの、録画予約された放送番組の放送日時に影響を及ぼす放送番組の延長を検出した場合、制御部１０は、予約管理テーブル中の対応する録画予約情報における録画処理の開始日時及び終了日時を、検出した延長時間に対応する日時に変更する。
【００６６】
従って、本実施形態の記録再生装置１は、上述したようにＥＰＧ信号に従って録画開始日時及び終了日時を変更した録画処理を記録再生部２１が開始及び終了した場合、制御部１０は、この録画処理を予約したユーザの電子メールアドレスに宛てて、録画処理の開始及び終了と、録画日時の変更とを記載した電子メールを送信する。なお、予約されている録画処理の開始日時及び／又は終了日時を変更した場合、この録画処理を予約したユーザに宛てて放送日時が変更された旨を示す電子メールを送信するようにしてもよい。これにより、ユーザは、自身が予約した録画処理の開始及び終了と共に、録画した放送番組の放送日時が変更されたことも知ることができる。
【００６７】
以下に、上述した構成の記録再生装置１において、チューナ部１３が受信する番組信号をＨＤＤ２２に録画する録画処理の予約及び実行についてフローチャートを参照しながら説明する。図７及び図８は実施形態１に係る記録再生装置１における録画処理の予約及び実行の手順を示すフローチャートである。なお、処理手順は一例でありこれに限るものではない。また、以下の処理はＲＯＭ１１に格納されている制御プログラムに従って制御部１０が実行する。
【００６８】
記録再生装置１において、制御部１０は、ユーザによってリモコン装置１ａの所定のキーが操作されることにより、電子番組表を用いた録画予約の実行が指示されたか否かを判断しており（Ｓ１）、録画予約の実行が指示されたと判断した場合（Ｓ１：ＹＥＳ）、チューナ部１３によってＥＰＧ信号を受信する（Ｓ２）。なお、制御部１０は、録画予約の実行が指示されていないと判断した場合（Ｓ１：ＮＯ）、ステップＳ８に処理を移行する。
【００６９】
制御部１０は、チューナ部１３によって取得したＥＰＧ信号をＥＰＧ復号部１４で復号して出力部２４から出力し、図２（ａ）に示すような電子番組表をモニタ装置３に表示させる（Ｓ３）。制御部１０は、電子番組表においてユーザが決定キーを操作することにより、録画予約を行なう放送番組が選択されたか否かを判断しており（Ｓ４）、選択されていない場合（Ｓ４：ＮＯ）、電子番組表のモニタ装置３への表示を継続する（Ｓ３）。
【００７０】
制御部１０は、電子番組表において放送番組が選択されたと判断した場合（Ｓ４：ＹＥＳ）、選択された放送番組の番組情報を示すメニュー画像をＯＳＤ部２３から出力部２４へ転送し、図２（ｂ）に示すような予約内容確認画面をモニタ装置３に表示させる（Ｓ５）。制御部１０は、予約内容確認画面においてユーザが電子メールアドレスを入力して決定キーを操作することにより、録画予約を行なう放送番組及び電子メールアドレスを含む録画予約情報を受け付けたか否かを判断しており（Ｓ６）、受け付けていない場合（Ｓ６：ＮＯ）、予約内容確認画面のモニタ装置３への表示を継続する（Ｓ５）。制御部１０は、予約情報を受け付けたと判断した場合（Ｓ６：ＹＥＳ）、受け付けた録画予約情報を予約管理部２０が管理する予約管理テーブルに登録する（Ｓ７）。
【００７１】
一方、制御部１０は、チューナ部１３が取得するＥＰＧ信号に基づいて番組延長検出部１５が放送番組の延長を検出したか否かを判断しており（Ｓ８）、放送番組の延長を検出したと判断した場合（Ｓ８：ＹＥＳ）、予約管理部２０が管理する予約管理テーブルに登録された録画予約情報を必要に応じて変更する（Ｓ９）。具体的には、記録再生部２１による録画処理中の放送番組の延長が検出された場合、制御部１０は、前記放送番組に対応する録画予約情報の録画終了日時を、検出した延長時間だけ変更する。また、録画予約中の放送番組の放送日時に影響を及ぼす放送番組の延長が検出された場合、制御部１０は、録画予約中の放送番組に対応する録画予約情報の録画開始日時及び録画終了日時を、検出した延長時間に対応する日時に変更する。なお、制御部１０は、放送番組の延長を検出していないと判断した場合（Ｓ８：ＮＯ）、ステップＳ９の処理をスキップする。
【００７２】
また、制御部１０は、予約管理部２０が管理する予約管理テーブルの各録画予約情報の録画開始日時及び録画終了日時を読み出すと共に（Ｓ１０）、日時管理部１９が示す現在時刻を取得し（Ｓ１１）、録画開始日時が経過したか否かを判断する（Ｓ１２）。制御部１０は、録画開始日時が経過していないと判断した場合（Ｓ１２：ＮＯ）、ステップＳ１５へ処理を移行し、録画開始日時が経過したと判断した場合（Ｓ１２：ＹＥＳ）、録画予約情報が示す放送チャンネルに応じた番組信号のＨＤＤ２２への録画処理を開始する（Ｓ１３）。また、制御部１０は、前記録画予約情報が示す電子メールアドレスに宛てて、録画処理を開始した旨を示す電子メールを送信する（Ｓ１４）。
【００７３】
制御部１０は、ステップＳ１０で読み出した録画終了日時及びステップＳ１１で取得した現在時刻に基づいて、録画終了日時が経過したか否かを判断しており（Ｓ１５）、録画終了日時が経過していないと判断した場合（Ｓ１５：ＮＯ）、ステップＳ１３で開始した録画処理を継続し（Ｓ１６）、ステップＳ８へ処理を戻す。また、制御部１０は、録画終了日時が経過したと判断した場合（Ｓ１５：ＹＥＳ）、ステップＳ１３で開始した録画処理を終了し（Ｓ１７）、終了した録画処理を示す録画情報を記録再生部２１が管理する録画管理テーブルに登録する（Ｓ１８）。更に、制御部１０は、録画管理テーブルに登録した録画情報が示す電子メールアドレスに宛てて、録画処理を終了した旨を示す電子メールを送信する（Ｓ１９）。
【００７４】
このように記録再生部２１が放送番組の録画処理を開始及び終了した場合に、録画予約を行なったユーザに宛てて録画処理の開始及び終了を通知するための電子メールを送信することにより、放送番組の録画予約を行なったユーザは、自身が予約した録画処理の開始及び終了を外出先でも知ることができる。また、記録再生装置１を、各録画処理の開始及び終了と共に録画した放送番組の放送日時が変更されたことを通知するようにしてもよい。
【００７５】
上述した実施形態１の記録再生装置１は、予約管理部２０が管理する予約管理テーブルに登録してある各録画予約情報に基づいて、図４に示す予約確認リストをモニタ装置３に表示させるように構成されているが、図９に示すような予約確認リストをモニタ装置３に表示させるようにしてもよい。図９に示す予約確認リストは、録画予約を行なったユーザの電子メールアドレスと、放送番組のジャンルとをキーとした２次元マトリクス状の各セル内に録画予約された各番組情報を表示する。
【００７６】
この場合、制御部１０は、録画予約を受け付ける際に受け付けた各ユーザの電子メールアドレス毎に、各ユーザが録画予約を行なった放送番組を示す録画予約情報を並べて表示する録画予約表を作成する手段として動作し、作成した録画予約表（予約確認リスト）をモニタ装置３に表示させる。なお、各ユーザの電子メールアドレスの代わりに、予め登録された各ユーザのユーザ名を表示させてもよい。また、ユーザの電子メールアドレス及び放送番組のジャンルをキーとして表示するのに限られず、放送日時における時間帯別、曜日別、日付別等、またアナログ放送、デジタル放送、ＢＳ放送、ＣＳ放送のように番組信号の種類別によって各番組情報を表示させてもよい。更に、記録再生装置１が取得する放送番組は、電波を介して取得するものに限られず、例えばケーブルテレビのような有線放送による番組でもよい。
【００７７】
また、上述した実施形態１の記録再生装置１は、図６に示す録画済みリストから選択された録画番組をモニタ装置３で再生させることができるが、例えば、リモコン装置１ａから入力された任意の電子メールアドレスに宛てて、録画番組の一部又は全部を送信できるようにしてもよい。具体的には、録画された放送番組を適宜の規格に従って圧縮し、録画された放送番組を適宜の時間間隔で間引きし、録画された放送番組の開始から一分間の映像を抽出して任意のユーザに送信するようにしてもよい。
【００７８】
（実施形態２）
以下に、本発明に係る録画装置を、実施形態２の記録再生装置に基づいて説明する。なお、本実施形態２の記録再生装置は、上述した実施形態１の記録再生装置１と同様の構成によって実現されるため、記録再生装置の構成については説明を省略する。
【００７９】
図１０は実施形態２に係る記録再生装置をネットワークＮＷに接続してなるシステム構成例を示す模式図である。実施形態２の記録再生装置１には、例えば購入時に、例えば製造メーカが開設しているウェブサイト（例えば、シャープスペースタウン）に顧客登録することによってメールアカウントが割り当てられている。従って、ネットワークＮＷ上に設けられたメールサーバ４には、それぞれの記録再生装置１用のメールボックスが用意されている。本実施形態２の記録再生装置１は、図１０に示すように、ネットワークＮＷを介してメールサーバ４と接続されている。
【００８０】
メールサーバ４は、ＣＰＵ４０、ＲＯＭ４１、ＲＡＭ４２、ハードディスク装置（以下、ＨＤＤという）４３、通信部４４等を備えており、それぞれはバス４０ａを介して相互に接続されている。ＣＰＵ４０は、バス４０ａを介して接続される上述したハードウェア各部を制御すると共に、ＲＯＭ４１に予め格納されている制御プログラムに従って種々の動作を実行する。ＲＯＭ４１は、メールサーバ４を動作させるために必要な種々の制御プログラムを予め記憶している。ＲＡＭ４２は、ＳＲＡＭ又はフラッシュメモリ等で構成され、ＣＰＵ４０による制御プログラムの実行時に発生するデータを一時的に記憶する。
【００８１】
通信部４４は、ネットワークＮＷに接続するためのインタフェースであり、ネットワークＮＷを介して接続されている記録再生装置１との間での各種情報の送受信を行なうことができる。ＨＤＤ４３は、大容量の記憶装置であり、ネットワークＮＷを介して接続してある記録再生装置１及びその他の装置宛の電子メールを蓄積しておく複数のメールボックスを構成している。
【００８２】
上述した構成により、実施形態２の記録再生装置１も、上述した実施形態１の記録再生装置１と同様に、チューナ部１３で取得した番組信号に基づく放送番組のモニタ装置３での表示、チューナ部１３で取得した番組信号のＨＤＤ２２への録画、ＨＤＤ２２に録画した番組信号のモニタ装置３での再生、チューナ部１３で取得したＥＰＧ信号に基づく電子番組表のモニタ装置３での表示、電子番組表を介した録画処理の予約の受付等を行なうことができる。
【００８３】
また、実施形態２の記録再生装置１は、ユーザによる録画処理の予約を受け付けた場合、この予約を行なったユーザが所有するコンピュータ又は携帯電話器等に割り当てられた電子メールアドレスを受け付けるように構成されている。更に、実施形態２の記録再生装置１は、予約された録画処理を開始した場合、又は終了した場合に、対応する電子メールアドレスに宛てて、録画処理の開始又は終了を記載した電子メールを送信して各ユーザに通知する。なお、本実施形態２の記録再生装置１は、ユーザの電子メールアドレスを電子メールによって取得する。
【００８４】
具体的には、録画処理の予約を行ないたいユーザがリモコン装置１ａの所定のキーを操作した場合、制御部１０は、チューナ部１３で取得したＥＰＧ信号に基づいて、図２（ａ）に示す電子番組表をモニタ装置３に表示させる。そして、電子番組表においてユーザが決定キーを操作した場合、ＯＳＤ部２３によって、ユーザにより選択された放送番組の番組情報を示すメニュー画像を出力部２４へ転送し、図１１（ａ）に示すような予約内容確認画面をモニタ装置３に表示させる。
【００８５】
図１１（ａ）に示す予約内容確認画面は、ユーザにより選択された放送番組のジャンル、放送チャンネル、タイトル、放送開始日時及び放送終了日時を表示しており、選択した放送番組の確認と、電子メールアドレスの選択とをユーザに促す。ここで、ユーザが所望の電子メールアドレスを選択して決定キーを操作した場合、制御部１０は、選択された放送番組の番組情報及び電子メールアドレスを含む録画予約情報を予約管理部２０の予約管理テーブルに登録する。
【００８６】
一方、ユーザが所望する電子メールアドレスが予約内容確認画面に表示されていない場合、ユーザは「新規に登録」を選択して決定キーを操作する。この場合、制御部１０は、ＯＳＤ部２３によって所定のメニュー画像を出力部２４へ転送し、図１１（ｂ）に示すようなメニュー画像をモニタ装置３に表示させる。ユーザは、このメニュー画像に従って、自身が所有するコンピュータ又は携帯電話器から空メールを送信する。
【００８７】
制御部１０は、ユーザが送信した空メールを受信した場合、受信した空メールの送信者の電子メールアドレスを抽出することにより、記録再生装置１のユーザの電子メールアドレスを受け付けている。また、制御部１０は、電子メールアドレスを受け付けた場合、図１１（ｃ）に示すような予約内容確認画面をモニタ装置３に表示させる。図１１（ｃ）に示す予約内容確認画面には、ユーザにより選択された放送番組の番組情報と、電子メールによって入力された電子メールアドレスとが表示されており、それぞれの内容の確認をユーザに促す。図１１（ｃ）に示す予約内容確認画面において、ユーザが決定キーを操作した場合、制御部１０は、選択された放送番組の番組情報及び電子メールアドレスを含む録画予約情報を予約管理部２０の予約管理テーブルに登録する。
【００８８】
上述したような予約管理テーブルを管理する予約管理部２０は、各録画予約情報が示す録画開始日時及び録画終了日時に従って、予約されている録画処理を実行し、チューナ部１３が取得する番組信号を記録再生部２１によってＨＤＤ２２に録画する。また、制御部１０は、予約管理部２０が管理する録画予約情報に従って記録再生部２１が録画処理を行なった場合、録画内容を示す録画情報を記録再生部２１が管理する録画管理テーブルに登録する。
【００８９】
以下に、上述した構成の記録再生装置１において、チューナ部１３が受信する番組信号をＨＤＤ２２に録画する録画処理の予約についてフローチャートを参照しながら説明する。図１２は実施形態２に係る記録再生装置１における録画処理の予約の手順を示すフローチャートである。なお、記録再生装置１による録画処理の実行及び録画処理の開始及び終了をユーザに通知する処理については、上述した実施形態１の記録再生装置１による録画処理と同様であるので説明を省略する。また、以下の処理はＲＯＭ１１に格納されている制御プログラムに従って制御部１０が実行する。
【００９０】
記録再生装置１において、制御部１０は、ユーザによってリモコン装置１ａの所定のキーが操作されることにより、電子番組表を用いた録画予約の実行が指示されたか否かを判断しており（Ｓ２１）、録画予約の実行が指示されたと判断した場合（Ｓ２１：ＹＥＳ）、チューナ部１３によってＥＰＧ信号を受信する（Ｓ２２）。なお、制御部１０は、録画予約の実行が指示されていないと判断した場合（Ｓ２１：ＮＯ）、録画予約の実行が指示されるまで待機する。
【００９１】
制御部１０は、チューナ部１３によって取得したＥＰＧ信号をＥＰＧ復号部１４で復号して出力部２４から出力し、図２（ａ）に示すような電子番組表をモニタ装置３に表示させる（Ｓ２３）。制御部１０は、電子番組表においてユーザが決定キーを操作することにより、録画予約を行なう放送番組が選択されたか否かを判断しており（Ｓ２４）、選択されていない場合（Ｓ２４：ＮＯ）、電子番組表のモニタ装置３への表示を継続する（Ｓ２３）。
【００９２】
制御部１０は、電子番組表において放送番組が選択されたと判断した場合（Ｓ２４：ＹＥＳ）、選択された放送番組の番組情報を示すメニュー画像をＯＳＤ部２３から出力部２４へ転送し、図１１（ａ）に示すような予約内容確認画面をモニタ装置３に表示させる（Ｓ２５）。制御部１０は、予約内容確認画面においてユーザが電子メールアドレスを入力して決定キーを操作することにより、録画予約情報を受け付けたか否かを判断しており（Ｓ２６）、受け付けていない場合（Ｓ２６：ＮＯ）、予約内容確認画面のモニタ装置３への表示を継続する（Ｓ２５）。
【００９３】
制御部１０は、録画予約情報を受け付けたと判断した場合（Ｓ２６：ＹＥＳ）、図１１（ａ）に示す予約内容確認画面中の電子メールアドレスにおいて「新規に登録」が選択されたか否かを判断する（Ｓ２７）。制御部１０は、「新規に登録」が選択されていないと判断した場合（Ｓ２７：ＮＯ）、即ち自身の電子メールアドレスが予約内容確認画面中に表示されていた場合、選択された放送番組を示す番組情報及び選択された電子メールアドレスを含む録画予約情報を予約管理部２０が管理する予約管理テーブルに登録して（Ｓ２８）処理を終了する。
【００９４】
一方、「新規に登録」が選択されたと判断した場合（Ｓ２７：ＹＥＳ）、即ち、ユーザの電子メールアドレスが予約内容確認画面中に表示されていない場合、制御部１０は、図１１（ｂ）に示すようなメニュー画像をモニタ装置３に表示させて空メールの送信をユーザに指示する（Ｓ２９）。制御部１０は、空メールの送信指示に従ってユーザが送信した空メールを受信したか否かを判断しており（Ｓ３０）、受信していないと判断した場合（Ｓ３０：ＮＯ）、空メールの送信指示を継続する（Ｓ２９）。
【００９５】
制御部１０は、ユーザが送信した空メールを受信したと判断した場合（Ｓ３０：ＹＥＳ）、受信した空メールから送信者の電子メールアドレスを抽出し（Ｓ３１）、選択された放送番組を示す番組情報及びステップＳ３１で抽出した電子メールアドレスを含む録画予約情報を予約管理部２０が管理する予約管理テーブルに登録して（Ｓ２８）処理を終了する。
【００９６】
上述したように、録画処理の予約を行なう際に各ユーザの電子メールアドレスを登録しておくことにより、実施形態１で説明したように、記録再生部２１が放送番組の録画処理を開始及び終了した場合に、録画予約を行なったユーザに宛てて録画処理の開始及び終了を電子メールによって通知することができる。また、本実施形態２のように、ユーザが所有する携帯電話器等から記録再生装置１へ電子メールを送信し、記録再生装置１が受信した電子メールから送信者の電子メールアドレスを抽出することによって、各ユーザの電子メールアドレスを取得する場合には、リモコン装置１ａを操作して電子メールアドレスを入力する場合と比較して、ユーザによる操作負担を軽減することができる。
【００９７】
なお、赤外線を利用したＩｒＤＡ規格に従う無線通信が可能に構成された携帯電話器が市販されており、このような携帯電話器を用いてＩｒＤＡ通信によって記録再生装置１へ電子メールアドレスを送信するようにしてもよい。
【図面の簡単な説明】
【００９８】
【図１】実施形態１に係る記録再生装置の構成例を示すブロック図である。
【図２】（ａ）は電子番組表の構成例を示す模式図、（ｂ）は予約内容確認画面の構成例を示す模式図である。
【図３】予約管理テーブルの構成例を示す模式図である。
【図４】予約確認リストの構成例を示す模式図である。
【図５】録画管理テーブルの構成例を示す模式図である。
【図６】録画済みリストの構成例を示す模式図である。
【図７】実施形態１に係る記録再生装置における録画処理の予約及び実行の手順を示すフローチャートである。
【図８】実施形態１に係る記録再生装置における録画処理の予約及び実行の手順を示すフローチャートである。
【図９】予約確認リストの変形例を示す模式図である。
【図１０】実施形態２の記録再生装置を含むシステム構成例を示す模式図である。
【図１１】（ａ）は予約内容確認画面の構成例を示す模式図、（ｂ）はメニュー画像の構成例を示す模式図、（ｃ）は予約内容確認画面の構成例を示す模式図である。
【図１２】実施形態２に係る記録再生装置における録画処理の予約の手順を示すフローチャートである。
【符号の説明】
【００９９】
１  記録再生装置（録画装置）
１０  制御部（受付手段、送信手段）
１５  番組延長検出部（検出手段）
１８  通信部
２１  記録再生部（録画手段）
１ａ  リモコン装置（入力部）
【図１】
2006229504.tif 000003
【図２】
2006229504.tif 000004
【図３】
2006229504.tif 000005
【図４】
2006229504.tif 000006
【図５】
2006229504.tif 000007
【図６】
2006229504.tif 000008
【図７】
2006229504.tif 000009
【図８】
2006229504.tif 000010
【図９】
2006229504.tif 000011
【図１０】
2006229504.tif 000012
【図１１】
2006229504.tif 000013
【図１２】
2006229504.tif 000014